(57)【要約】【課題】使用前は便器の存在に気付かれず、汚物が入った状態でも臭いが出ず、病気感染の予防機能も有し簡単に持ち運びができる可搬型便器を提供する。【解決手段】一対の脚部をピンで折り畳み自在に枢支した折畳み脚１と、一対の座部により中央に孔のあいた形に形成され、かつ連結材で折り畳み可能にされた便座と、便座から吊下げられた保護袋１０とからなり、折畳み脚１の上面に便座が取付けられ、かつ折畳み脚１を同方向に折り畳み可能とされている。折畳み脚１と便座が同方向に折り畳み可能なので、使わないときは折畳み脚と共に便座も折り畳んでおける。この場合、便座がむき出しにならないので、室内においてもオマルを放置したような雰囲気にならず、使用時以外は快適な生活環境を阻害しない。【選択図】図１
0003135776.tif 000002
【実用新案登録請求の範囲】
【請求項１】
一対の脚部をピンで折り畳み自在に枢支した折畳み脚と、
一対の座部により中央に孔のあいた形に形成され、かつ連結材で折り畳み可能にされた便座と、
前記便座から吊下げられた保護袋とからなり、
前記折畳み脚の上面に前記便座が取付けられ、かつ前記折畳み脚を同方向に折り畳み可能とされている
ことを特徴とする可搬型便器。
【請求項２】
前記折畳み脚と前記便座と前記保護袋と使い捨ての収納袋とからなり、
該収納袋は、上縁部が前記便座の上面の覆い掛けられる形状と大きさを有し、上縁部以下の部分が前記便座の孔を通して前記保護袋の内部へ入れられるものである
ことを特徴とする請求項１記載の可搬型便器。
【請求項３】
前記一対の脚部の上端部に、それぞれ取付けた一対の取手を有する
ことを特徴とする請求項１記載の可搬型便器。
【請求項４】
前記一対の取手は前記折畳み脚を折り畳んだとき、互いに合わさるようになっており、かつ合わさった状態の一対の取手を離間しないように閉じておくクリップを有する
ことを特徴とする請求項１記載の可搬型便器。
【請求項５】
保管ケースを備えており、
該保管ケースは、折り畳んだ状態の折畳み脚と便座を収納できる大きさと形を有し、かつその上端面に前記取手を突出させる孔が形成されている
ことを特徴とする請求項１記載の可搬型便器。
【考案の詳細な説明】
【技術分野】
【０００１】
本考案は、可搬型便器に関する。さらに詳しくは、アウトドア用や災害時用、介護用等として好適な可搬型の折り畳み便器に関する。
【背景技術】
【０００２】
従来の携帯用あるいは可搬型の便器としては、つぎの特許文献１，２に記載のものがある。
特許文献１の便器は、折り畳み可能な前後の脚部と、この脚部に取付けられた着座ベースと、この着座ベースに支持される便座と、この便座に出入り可能に挿入される汚物の収納袋とから構成されている。
この従来技術の便器は、前後の脚部は折り畳めるが、着座ベースと便座は折り畳めないものである。
【０００３】
特許文献２の便器は、左右に折り畳める椅子と、強靭なバンド等を用いた座面と、この座面上に取り外し可能に取付けた便座から構成されている。
この従来技術の便器も、椅子自体は折り畳めても、便座は一体物であって折り畳むことはできないものである。
【０００４】
上記特許文献１，２の従来技術は、いずれも便座自体は折り畳むことはできず、使用前も使用後も、むき出しのままで置いておくことになる。
このため、室内で用いるときは常にオマルが、そこに存在している状態となって、快適な生活を阻害する雰囲気となる。また、一旦使用した後は、便器内の汚物の臭いが出るので、頻繁に後始末をしなければならないという不便さがある。さらに災害などで止むを得ず複数の人が使用するときは、病気感染を防止することができないという欠点もある。
【０００５】
【特許文献１】実用新案登録第３１１４７０７号
【特許文献２】特開２００５−２７９１２３
【考案の開示】
【考案が解決しようとする課題】
【０００６】
本考案は上記事情に鑑み、使用前は便器の存在に気付かれず、汚物が入った状態でも臭いが出ず、病気感染の予防機能も有し簡単に持ち運びができる可搬型便器を提供することを目的とする。
【課題を解決するための手段】
【０００７】
第１考案の可搬型便器は、一対の脚部をピンで折り畳み自在に枢支した折畳み脚と、一対の座部により中央に孔のあいた形に形成され、かつ連結材で折り畳み可能にされた便座と、前記便座から吊下げられた保護袋とからなり、前記折畳み脚の上面に前記便座が取付けられ、かつ前記折畳み脚を同方向に折り畳み可能とされていることを特徴とする。
第２考案の可搬型便器は、第１発明において、前記折畳み脚と前記便座と前記保護袋と使い捨ての収納袋とからなり、該収納袋は、上縁部が前記便座の上面の覆い掛けられる形状と大きさを有し、上縁部以下の部分が前記便座の孔を通して前記保護袋の内部へ入れられるものであることを特徴とする。
第３考案の可搬型便器は、第１発明において、前記一対の脚部の上端部に、それぞれ取付けた一対の取手を有することを特徴とする。
第４考案の可搬型便器は、第１発明において、前記一対の取手は前記折畳み脚を折り畳んだとき、互いに合わさるようになっており、かつ合わさった状態の一対の取手を離間しないように閉じておくクリップを有することを特徴とする。
第５考案の可搬型便器は、第１発明において、保管ケースを備えており、該保管ケースは、折り畳んだ状態の折畳み脚と便座を収納できる大きさと形を有し、かつその上端面に前記取手を突出させる孔が形成されていることを特徴とする。
【考案の効果】
【０００８】
第１考案によれば、折畳み脚と便座が同方向に折り畳み可能なので、使わないときは折畳み脚と共に便座も折り畳んでおける。この場合、便座がむき出しにならないので、室内においてもオマルを放置したような雰囲気にならず、使用時以外は快適な生活環境を阻害しない。
第２考案によれば、使用時には使い捨ての収納袋を組合せて用い、この収納袋は便座の上面を覆うので複数人が使用しても病気感染が生じにくく、使用後に収納袋を付けた状態で便座と折畳み脚を折り畳むと、収納袋の上縁が折り畳まれた便座に挟まれて密閉されるので、臭いが外に出なくなる。
第３考案によれば、使用時に便座の上に人が座ると、両手を下に伸ばした位置に取手があるので、その取手を持つことによって姿勢を安定させ、用便しやすくすることができる。
第４考案によれば、折畳み脚を折り畳むと一対の取手が合わさるので、その状態でクリップで止めておくと、バラけることなく、折り畳んだ状態に可搬型便器を保持することができる。このため、自然に開くことがないので、保管に好都合である。
第５考案によれば、折畳み脚と便座を折り畳んだ状態で、保管ケースに収納することができるのでコンパクトに保管したり、室内に用意しておける。また、その状態で取手は保管ケースの外に出ているので、持ち運びが容易である。
【考案を実施するための最良の形態】
【０００９】
つぎに、本考案の実施形態を図面に基づき説明する。
図１は本考案の一実施形態に係る可搬型便器の説明図で、（Ａ）は平面図、（Ｂ）は側面図である。図２は図１の可搬型便器の正面図である。
図１および図２において、１は折畳み脚である。この折畳み脚１は、一対の脚部２，２とそれらを止めるピン３とから構成されている。各脚部２，２はパイプを用いて、正面視で略四角形に形成されている。そして、一対の脚部２，２の中間部をピン３で止めて、開閉可能としている。
【００１０】
４は便座であり、平面視で長円形であって、中央部に孔が形成されている。この便座４は短軸方向に二分された形状で、片側は略コ形の座部５となっている。
そして、各座部５の２ヵ所の端部は連結部６となっている。この連結部６はヒンジ等で構成してもよく、合成樹脂製ベルトや革、布等でつないだものでもよい。
各座部５の材料は、木やプラスチックなどの公知の素材が用いられ、その外周面を布等で覆う場合は、その布で連結部６を構成することができる。
そして、この便座４は前記一対の脚部２，２の上部に連結具７で結合されている。
【００１１】
前記便座４の下面には、保護袋１０が吊下げられている。この保護袋１０は、側面視で上部が開き、下部が閉じた形状で、正面視で略四角形である。この保護袋１０の素材は折畳み脚１と共に折り畳むことが可能な折畳み性は必要であるが、それ以上に柔らかくする必要はなく、むしろ、ある程度の強度と形状保持性を有している方が好ましい。
【００１２】
前記一対の脚部２，２の上部であり、その上部の幅方向における中間位置には取手８が取付けられている。この取手８は、人が便座４に座って用便するとき姿勢を安定にするため、手がつかめるようにしたもので、手でつかむのに必要な大きさと強度が必要である。また、後述するように、クリップで止めるために取付けられている。
【００１３】
図３は図１の可搬型便器の折畳み状態説明図である。
図３において、実線は折り畳んだ状態を示し、２点鎖線は折畳み脚１も便座４も開いた使用状態を示している。折畳み脚１のピン３と便座４の連結部６は同じ折畳み方向となるように設けられているので、折畳み脚１を折り畳むと、便座４も折り畳まれるようになっている。そして、左右の取手８，８も互いに合わさるので、片手でその取手８，８を握れば、手軽に持ち運びできるようになっている。
【００１４】
つぎに、本考案の可搬型便器の使用方法を説明する。
図４は図１の可搬型便器の使用状態説明図であって、（Ａ）は平面図、（Ｂ）は正面図である。図５は図１の可搬型便器の使用後の取扱い図であって、（Ａ）は側面図、（Ｂ）は使い捨て収納袋の図である。
図４に示すように、折畳み脚１と便座４を開いた状態で、収納袋１１を被せて使用する。この収納袋１１は使い捨ての柔らかいものが好ましい。専用の収納袋１１を用いてもよく、市販のゴミ袋を代用してもよい。
この収納袋１１の上縁部11aで便座４の上面を覆い、上縁部11aから下の部分（つまり、収納袋１１の大部分）を便座４の孔を通して、保護袋１０の中へたくし込んでおく。この状態で使用すると、人体が直接、便座４に接触しないので、衛生的である。
【００１５】
図５（Ａ）に示すように、使用した後は、収納袋１１の上縁部11aを便座４から取り上げて、互いに合わせて、同（Ｂ）図に示すように縛っておけばよい。
そして、使用中は、比較的強度のある保護袋１０で汚物の重量を支えるので、何人かが使用しても収納袋１１が破れる等の不都合は生じない。
【００１６】
本考案の可搬型便器は、使用しないときは図３に示すように、折り畳んで閉じておけば便座４が丸見えにならないので、部屋の中にオマルを置いているような病室臭い雰囲気はなくなる。また、使用後の汚物が入った状態であっても、折り畳んでおけば、臭いが出ることも防げるので、部屋の環境を悪化させることがないという利点がある。
【００１７】
図６は保管ケースの説明図である。
同図に示すように、保管ケース１２を被せておけば、転倒を防止しやすく、更に見映えの悪化や臭いが出るのを防止しやすくなる。
この保管ケース１２は折り畳んだ状態の折畳み脚１と便座４を収納できる大きさと形状を有していればよい。そして、保管ケース１２の上端部の孔から取手８が外へ出るようになっているので、保管ケース１２に入れたまま取手８を持てば片手で簡単に持ち運びができる。また、その取手８をクリップ１３で止めておくと、保管ケース１２の中で便座４等が開き加減になったりしないので好都合である。
【００１８】
本考案の可搬型便器は、アウトドア用や災害用、介護用などに、手軽に運べて使用することができる。
【図面の簡単な説明】
【００１９】
【図１】本考案の一実施形態に係る可搬型便器の説明図で、（Ａ）は平面図、（Ｂ）は側面図である。
【図２】図１の可搬型便器の正面図である。
【図３】図１の可搬型便器の折畳み状態説明図である。
【図４】図１の可搬型便器の使用状態説明図であって、（Ａ）は平面図、（Ｂ）は正面図である。
【図５】図１の可搬型便器の使用後の取扱い図であって、（Ａ）は側面図、（Ｂ）は使い捨て収納袋の図である。
【図６】保管ケースの説明図である。
【符号の説明】
【００２０】
１    折畳み脚
２    脚部
４    便座
６    連結部
８    取手
１０    保護袋
１１    収納袋
１２    保管ケース
１３    クリップ
【図１】
0003135776.tif 000003
【図２】
0003135776.tif 000004
【図３】
0003135776.tif 000005
【図４】
0003135776.tif 000006
【図５】
0003135776.tif 000007
【図６】
0003135776.tif 000008